(57)【要約】【課題】スペースの有効活用により装置の小型化等を図る。【解決手段】対物レンズ駆動装置１５の構成要素として、対物レンズ２１を保持した可動部１７と、該可動部をディスク状記録媒体１００の記録面に離接する方向であるフォーカシング方向及びディスク状記録媒体の略半径方向であるトラッキング方向へ移動自在に支持する固定部１６と、可動部又は固定部の一方に設けられたマグネット２４、２４と上記可動部又は固定部の他方に設けられた駆動用コイルとを有する磁気回路２５とを設け、磁気回路の中心である可動部の駆動中心Ｐを、対物レンズの中心Ｑに対してディスク状記録媒体の半径方向へ偏倚させた。【選択図】　　　　　図３
2004022142.tif 000002
【特許請求の範囲】
【請求項１】
ディスクテーブルに装着されるディスク状記録媒体の半径方向へ移動される移動ベースと、該移動ベースに配置された対物レンズ駆動装置と、移動ベースに設けられディスク状記録媒体の記録面へ向けてレーザー光を発光する発光部と、移動ベースに設けられディスク状記録媒体の記録面で反射されたレーザー光を戻り光として受光する受光部とを備えた光ピックアップであって、
上記対物レンズ駆動装置は、
対物レンズを保持した可動部と、
該可動部をディスク状記録媒体の記録面に離接する方向であるフォーカシング方向及びディスク状記録媒体の略半径方向であるトラッキング方向へ移動自在に支持する固定部と、
上記可動部又は固定部の一方に設けられたマグネットと上記可動部又は固定部の他方に設けられた駆動用コイルとを有する磁気回路とを備え、
上記磁気回路の中心である可動部の駆動中心が、対物レンズの中心に対してディスク状記録媒体の半径方向へ偏倚された
ことを特徴とする光ピックアップ。
【請求項２】
上記可動部の駆動中心を、対物レンズの中心に対してディスク状記録媒体の回転中心側に偏倚させた
ことを特徴とする請求項１に記載の光ピックアップ。
【請求項３】
上記可動部の駆動中心を、対物レンズの中心に対してディスク状記録媒体の外周側に偏倚させた
ことを特徴とする請求項１に記載の光ピックアップ。
【請求項４】
上記可動部の駆動中心を、対物レンズを保持した可動部の重心と略一致させるバランサーを可動部に設けた
ことを特徴とする請求項１に記載の光ピックアップ。
【請求項５】
上記移動ベースのディスク状記録媒体の半径方向の移動範囲において、上記発光部及び受光部をディスク状記録媒体に対向する位置に配置した
ことを特徴とする請求項１に記載の光ピックアップ。
【請求項６】
ディスクテーブルに装着されるディスク状記録媒体の半径方向へ移動される移動ベースと、該移動ベースに配置された対物レンズ駆動装置と、移動ベースに設けられディスク状記録媒体の記録面へ向けてレーザー光を発光する発光部と、移動ベースに設けられディスク状記録媒体の記録面で反射されたレーザー光を戻り光として受光する受光部とを有する光ピックアップを備えたディスクドライブ装置であって、
上記対物レンズ駆動装置は、
対物レンズを保持した可動部と、
該可動部をディスク状記録媒体の記録面に離接する方向であるフォーカシング方向及びディスク状記録媒体の略半径方向であるトラッキング方向へ移動自在に支持する固定部と、
上記可動部又は固定部の一方に設けられたマグネットと上記可動部又は固定部の他方に設けられた駆動用コイルとを有する磁気回路とを備え、
上記磁気回路の中心である可動部の駆動中心が、対物レンズの中心に対してディスク状記録媒体の半径方向へ偏倚された
ことを特徴とするディスクドライブ装置。
【請求項７】
上記可動部の駆動中心を、対物レンズの中心に対してディスク状記録媒体の回転中心側に偏倚させた
ことを特徴とする請求項６に記載のディスクドライブ装置。
【請求項８】
上記可動部の駆動中心を、対物レンズの中心に対してディスク状記録媒体の外周側に偏倚させた
ことを特徴とする請求項６に記載のディスクドライブ装置。
【請求項９】
上記可動部の駆動中心を、対物レンズを保持した可動部の重心と略一致させるバランサーを可動部に設けた
ことを特徴とする請求項６に記載のディスクドライブ装置。
【請求項１０】
上記移動ベースのディスク状記録媒体の半径方向の移動範囲において、上記発光部及び受光部をディスク状記録媒体に対向する位置に配置した
ことを特徴とする請求項６に記載のディスクドライブ装置。
【発明の詳細な説明】
【０００１】
【発明の属する技術分野】
本発明は光ピックアップ及びディスクドライブ装置に関する。詳しくは、可動部が固定部に支持された対物レンズ駆動装置を有する光ピックアップ及びこれを備えたディスクドライブ装置についての技術分野に関する。
【０００２】
【従来の技術】
光ディスク等のディスク状記録媒体に対して情報信号の記録や再生を行うディスクドライブ装置があり、このようなディスクドライブ装置には、ディスク状記録媒体の半径方向へ移動され当該ディスク状記録媒体に対してレーザー光を照射する光ピックアップが設けられている。
【０００３】
光ピックアップは、ディスク状記録媒体の半径方向へ移動自在に支持された移動ベースと、該移動ベース上に配置された対物レンズ駆動装置とを備えている。
【０００４】
光ピックアップにあっては、対物レンズ駆動装置によって、その可動部に保持された対物レンズがディスク状記録媒体の記録面に離接する方向であるフォーカシング方向に動作されてフォーカシング調整が行われると共に対物レンズがディスク状記録媒体の略半径方向であるトラッキング方向へ動作されてトラッキング調整が行われる。このようなフォーカシング調整及びトラッキング調整が行われることにより、対物レンズを介してディスク状記録媒体に照射されるレーザー光のスポットが当該ディスク状記録媒体の記録トラックに集光される。
【０００５】
以下に、従来の光ピックアップに設けられた対物レンズ駆動装置の一例を示す（図９参照）。
【０００６】
対物レンズ駆動装置ａは固定部ｂと該固定部ｂに対して動作される可動部ｃとを有している。
【０００７】
固定部ｂは、ディスク状記録媒体の半径方向へ移動自在に支持された図示しない移動ベースに固定されている。
【０００８】
可動部ｃはレンズ保持部ｄとコイル取付部ｅとを有している。
【０００９】
レンズ保持部ｄには対物レンズｆが取り付けられている。
【００１０】
コイル取付部ｅには上下に延びる挿入孔ｇが形成されている。コイル取付部ｅには挿入孔ｇを左右に等分に分割するようにしてコイル体ｈが取り付けられている。コイル体ｈは平板状に形成され、図示しないフォーカシングコイルとトラッキングコイルとがコイル用の基板に埋設状に形成されて成る。コイル体ｈは、その前後両端部がコイル取付部ｅからそれぞれ前方又は後方へ突出されている。
【００１１】
移動ベースには固定部ｂの左側の位置にヨークｉが取り付けられ、該ヨークｉの互いに対向する面にマグネットｊ、ｊがそれぞれ取り付けられている。マグネットｊ、ｊはそれぞれコイル体ｈの左右において対向した状態で可動部ｃの挿入孔ｇに挿入されて配置されている。コイル体ｈとヨークｉとマグネットｊ、ｊは、磁気回路ｋの構成要素とされている。
【００１２】
コイル体ｈと固定部ｂとは４本の金属製の支持バネｌ、ｌ、・・・によって連結されている。支持バネｌ、ｌ、・・・は、一端部がコイル体ｈのコイル取付部ｅから前方又は後方へ突出された部分に取り付けられ、他端部が固定部ｂの前後両端部に取り付けられている。
【００１３】
上記のようにコイル体ｈと固定部ｂとが支持バネｌ、ｌ、・・・によって連結されることにより、可動部ｃが支持バネｌ、ｌ、・・・を介して固定部ｂに移動自在に支持され、可動部ｃが中空に保持されている。
【００１４】
可動部ｃは固定部ｂに対して磁気回路ｋの中心である駆動中心Ｐを中心として動作される。この駆動中心Ｐと対物レンズｆの中心Ｑとは、ディスク状記録媒体の記録トラックＲの接線Ｓの方向に離間して位置されている。
【００１５】
図示しないディスクテーブルに装着されたディスク状記録媒体がディスク駆動モーターによって回転されると、光ピックアップの図示しない発光部から対物レンズｆを介してレーザー光がディスク状記録媒体の記録面に照射され、照射されたレーザー光がディスク状記録媒体の記録面で反射されて対物レンズｆを介して光ピックアップの図示しない受光部で受光される。
【００１６】
このとき、コイル体ｈのフォーカシングコイル及びトラッキングコイルに支持バネｌ、ｌ、・・・を介して図示しない電源から駆動電流が供給される。フォーカシングコイルに駆動電流が供給されると、フォーカシングコイルに流れる駆動電流の向きに応じて所定の方向への推力が発生し、可動部ｃが固定部ｂに対してディスク状記録媒体に離接する方向であるフォーカシング方向へ動作されてフォーカシング調整が行われる。一方、トラッキングコイルに駆動電流が供給されると、トラッキングコイルに流れる駆動電流の向きに応じて所定の方向への推力が発生し、可動部ｃが固定部ｂに対してディスク状記録媒体の略半径方向であるトラッキング方向へ動作されてトラッキング調整が行われる。
【００１７】
このように可動部ｃがフォーカシング方向へ動作されてフォーカシング調整が行われると共に可動部ｃがトラッキング方向へ動作されてトラッキング調整が行われることにより、発光部から発光されたレーザー光のスポットがディスク状記録媒体の記録トラック上に集光される。
【００１８】
【発明が解決しようとする課題】
ところが、上記した従来の対物レンズ駆動装置ａにあっては、可動部ｃの駆動中心Ｐと対物レンズｆの中心Ｑとが記録トラックＲの接線Ｓの方向に位置されており、固定部ｂ及び可動部ｃの一部が対物レンズｆよりもディスク状記録媒体の半径方向、即ち、記録トラックＲの接線Ｓに直交する方向へ突出されている。
【００１９】
従って、光ピックアップがディスク状記録媒体の外周側又は内周側の移動端まで移動されたときには、固定部ｂ及び可動部ｃの各一部がディスク状記録媒体の外周又は内周から外方又は内方へ突出され易くなる。図１０は、例として、光ピックアップがディスク状記録媒体ｘの外周側の移動端まで移動されたときに、固定部ｂ及び可動部ｃの各一部がディスク状記録媒体ｘの外周から外方へ突出されている状態を示したものである。
【００２０】
固定部ｂ及び可動部ｃの各一部がディスク状記録媒体ｘの外周又は内周から外方又は内方へ突出されてしまうと、これらの固定部ｂ及び可動部ｃの各一部とディスクドライブ装置の外筐や外筐の内部に配置される各部との干渉を防止するために、ディスクドライブ装置の外筐の内部に、光ピックアップがディスク状記録媒体の外周側又は内周側の移動端まで移動された状態における固定部ｂ及び可動部ｃの各一部を位置させるためのスペースが必要となる。
【００２１】
従って、固定部ｂ及び可動部ｃの各一部を位置させるためのスペースを必要とする分、ディスクドライブ装置が大型となったりディスクドライブ装置の外筐の内部に配置される各部、例えば、ディスク駆動モーターの大きさが制約されてしまうという問題がある。
【００２２】
そこで、本発明光ピックアップ及びディスクドライブ装置は、上記した問題点を克服し、スペースの有効活用によりディスクドライブ装置の小型化等を図ることを課題とする。
【００２３】
【課題を解決するための手段】
本発明光ピックアップ及びディスクドライブ装置は、上記した課題を解決するために、対物レンズ駆動装置の構成要素として、対物レンズを保持した可動部と、該可動部をディスク状記録媒体の記録面に離接する方向であるフォーカシング方向及びディスク状記録媒体の略半径方向であるトラッキング方向へ移動自在に支持する固定部と、上記可動部又は固定部の一方に設けられたマグネットと上記可動部又は固定部の他方に設けられた駆動用コイルとを有する磁気回路とを設け、上記磁気回路の中心である可動部の駆動中心を、対物レンズの中心に対してディスク状記録媒体の半径方向へ偏倚させたものである。
【００２４】
従って、本発明光ピックアップ及びディスクドライブ装置にあっては、可動部の駆動中心と対物レンズの中心とがディスク状記録媒体の半径方向において離間して位置される。
【００２５】
【発明の実施の形態】
以下に、本発明の実施の形態を添付図面に従って説明する。尚、以下に示した実施の形態は、本発明を、ディスクドライブ装置としてディスク状記録媒体に記録された情報信号の再生を行う装置に適用したものである。
【００２６】
ディスクドライブ装置１は、外形が略円板状を為す外筐２内に所要の各部材及び各機構が配置されて成り、外筐２は上蓋３と下ケース４とから成る（図１参照）。上蓋３は下ケース４に、その後端部を支点として回動自在に支持されている。上蓋３は天板部と該天板部の外周縁から垂設された周面部とから成り、下方に開口されている。下ケース４は底面部と該底面部の外周縁から立設された周面部とから成り、上方に開口されている。
【００２７】
上蓋３が閉じた状態から、上蓋３が下ケース４から離間する方向へ回動されることにより、下ケース４の開口が開放され、上蓋３と下ケース４との間にディスク状記録媒体を外筐２の内部に挿入するための図示しないディスク挿入口が形成される。上蓋３が開いた状態から、上蓋３が下ケース４に近付く方向へ回動されることにより、下ケース４の開口が閉塞される。下ケース４の開口が閉塞された状態においては、外筐２に設けられた図示しないロック手段によって上蓋３が閉じた状態にロックされる。
【００２８】
外筐２内にはベースユニット５が配置され、該ベースユニット５はシャーシ６に所要の各部が配置又は支持されて成る（図１参照）。
【００２９】
シャーシ６は縦長の略矩形状を為す主面部７と該主面部７の外周縁から垂設された枠部８とが一体に形成されて成る。主面部７の前端寄りの位置には、図示しない軸挿入孔が形成されている。主面部７の軸挿入孔の後側の位置には、前後に長い大きな配置孔７ａが形成されている。
【００３０】
主面部７の下面にはディスク駆動モーター９が取り付けられ、該ディスク駆動モーター９のモーター軸９ａが主面部７に形成された軸挿入孔から上方へ突出されている。ディスク駆動モーター９のモーター軸９ａにはディスクテーブル１０が固定されている。
【００３１】
シャーシ６には、主面部７の下面側にガイド軸１１とリードスクリュー１２とが左右に離間して平行な状態で配置されている。
【００３２】
ベースユニット５はディスクテーブル１０が下ケース４の中央部に位置されるように、下ケース４の内部に配置されている。
【００３３】
光ピックアップ１３は、移動ベース１４と該移動ベース１４に設けられた所要の光学要素と移動ベース１４上に配置された対物レンズ駆動装置１５とを有している（図２及び図３参照）。
【００３４】
移動ベース１４は、上下方向を向くベース部１４ａと、該ベース部１４ａの左端寄りの位置の前端部から下方へ突出されたデバイス取付部１４ｂと、ベース部１４ａの左端部から左方へ突出された軸受部１４ｃと、ベース部１４ａの右端部から右方へ突出された軸受部１４ｄ、１４ｄとを有している。
【００３５】
光ピックアップ１３は、移動ベース１４の軸受部１４ｃがガイド軸１１に摺動自在に支持され、軸受部１４ｄ、１４ｄがリードスクリュー１２に摺動自在に支持されている。移動ベース１４のベース部１４ａには図示しないナット部材が設けられ、該ナット部材がリードスクリュー１２に螺合されている。
【００３６】
シャーシ６にはリードスクリュー１２を回転させるための図示しない送りモーターが取り付けられている。送りモーターによってリードスクリュー１２が回転されると、ナット部材がリードスクリュー１２の回転方向へ応じた方向へ送られ、光ピックアップ１３がディスクテーブル１０に装着されるディスク状記録媒体１００の半径方向へガイド軸１１に案内されて移動される。
【００３７】
対物レンズ駆動装置１５は固定部１６と該固定部１６に対して動作される可動部１７とを有している（図２乃至図４参照）。
【００３８】
固定部１６は移動ベース１４に固定されている。
【００３９】
可動部１７は、例えば、樹脂材料によって一体に形成されたレンズ保持部１８とコイル取付部１９とバランサー２０とを有し、これらの各部に所要の各部材が取り付けられて成る。
【００４０】
レンズ保持部１８には図示しない透過孔が形成され、レンズ保持部１８に透過孔を覆うようにして対物レンズ２１が取り付けられている。
【００４１】
コイル取付部１９は略角筒状に形成され、その内側の孔が上下に延びる矩形の挿入孔１９ａとして形成されている。コイル取付部１９には挿入孔１９ａを左右に等分に分割するようにしてコイル体２２が取り付けられている。コイル体２２は平板状に形成され、図示しないフォーカシングコイルとトラッキングコイルとがコイル用の基板に埋設状に形成されて成る。フォーカシングコイル及びトラッキングコイルは、可動部１７を固定部１６に対して動作させるための駆動用コイルとして機能する。コイル体２２は、その前後両端部がコイル取付部１９からそれぞれ前方又は後方へ突出されている。
【００４２】
可動部１７は、レンズ保持部１８がコイル取付部１９の左後側に位置する角部から左斜め後方へ突出されている。従って、レンズ保持部１８がコイル取付部１９より後方に位置されている（図２及び図３参照）。
【００４３】
バランサー２０は、コイル取付部１９の右端部における前端部から右方へ突出されている。
【００４４】
上記のように、レンズ保持部１８がコイル取付部１９の左後側に位置する角部から左斜め後方へ突出され、バランサー２０がコイル取付部１９の右端部における前端部から右方へ突出されることにより、可動部１７は対物レンズ２１が取り付けられた状態において、重心Ｇがコイル取付部１９の挿入孔１９ａの中央に略一致されている（図３参照）。
【００４５】
また、対物レンズ駆動装置１５は、固定部１６及びコイル体２２が対物レンズ２１の後端より前方側に位置されている。
【００４６】
移動ベース１４のベース部１４ａの上面には、固定部１６の左側の位置にヨーク２３が取り付けられている（図２乃至図４参照）。ヨーク２３は上下方向を向く基部２３ａと該基部２３ａの左右両端部からそれぞれ上方へ突出された立上部２３ｂ、２３ｃとが一体に形成されて成り、基部２３ａがベース部１４ａに取り付けられている。ヨーク２３の立上部２３ｂ、２３ｃの互いに対向する面には、マグネット２４、２４がそれぞれ取り付けられている。マグネット２４、２４はそれぞれコイル体２２の左右において対向した状態で可動部１７の挿入孔１９ａに挿入されて配置されている。
【００４７】
コイル体２２とヨーク２３とマグネット２４、２４は、磁気回路２５の構成要素とされている。
【００４８】
コイル体２２と固定部１６とは４本の金属製の支持バネ２６、２６、・・・によって連結されている。支持バネ２６、２６、・・・は前後上下に離間して位置され、一端部がコイル体２２のコイル取付部１９から前方又は後方へ突出された部分に取り付けられ、他端部が固定部１６の前後両端部に取り付けられている。
【００４９】
上記のようにコイル体２２と固定部１６とが支持バネ２６、２６、・・・によって連結されることにより、可動部１７が支持バネ２６、２６、・・・を介して固定部１６に移動自在に支持され、可動部１７が中空に保持される。
【００５０】
可動部１７は固定部１６に対して磁気回路２５の中心である駆動中心Ｐを中心として動作される。
【００５１】
駆動中心Ｐと対物レンズ２１の中心Ｑとは、ディスク状記録媒体１００の半径方向Ｈにずれて位置されており、駆動中心Ｐが中心Ｑよりもディスク状記録媒体１００の回転中心側に位置されている（図３参照）。
【００５２】
コイル体２２のフォーカシングコイル及びトラッキングコイルには、図示しない電源からそれぞれ支持バネ２６、２６、・・・を介して駆動電流が供給され、発光部から発光されたレーザー光のスポットがディスク状記録媒体１００の記録トラックに集光するようにフォーカシング調整及びトラッキング調整が行われる。フォーカシングコイルに駆動電流が供給されると、フォーカシングコイルに流れる駆動電流の向きに応じて所定の方向への推力が発生し、可動部１７が固定部１６に対してディスク状記録媒体１００に離接する方向であるフォーカシング方向（図４に示すＦ―Ｆ方向）へ動作される。トラッキングコイルに駆動電流が供給されると、トラッキングコイルに流れる駆動電流の向きに応じて所定の方向への推力が発生し、可動部１７が固定部１６に対してディスク状記録媒体１００の略半径方向であるトラッキング方向（図３に示すＴ―Ｔ方向）へ動作される。
【００５３】
可動部１７がフォーカシング方向及びトラッキング方向に動作されるときには、支持バネ２６、２６、・・・が弾性変形される。
【００５４】
移動ベース１４には、対物レンズ２１の真下の位置に、立ち上げミラー２７が取り付けられている（図５参照）。
【００５５】
移動ベース１４のデバイス取付部１４ｂには図示しない発光部と受光部とが１つの筐体内に一体的に設けられた光デバイス２８が取り付けられている（図２及び図３参照）。
【００５６】
以上のようにして構成されたディスクドライブ装置１において、ディスク挿入口から挿入されたディスク状記録媒体１００がディスクテーブル１０に装着されると、ディスク駆動モーター９の回転に伴ってディスクテーブル１０が回転される。
【００５７】
ディスクテーブル１０が回転されると、該ディスクテーブル１０に装着されたディスク状記録媒体１００が回転され、同時に、光ピックアップ１３がディスク状記録媒体１００の半径方向へ内周側から外周側へ移動されてディスク状記録媒体１００に記録されている情報信号を再生する再生動作が行われる。
【００５８】
光ピックアップ１３がディスク状記録媒体１００の半径方向へ移動されるときには、光デバイス２８の発光部からディスク状記録媒体１００の記録面へ向けてレーザー光が発光される。発光部から発光されたレーザー光は立ち上げミラー２７で立ち上げられて可動部１７の透過孔及び対物レンズ２１を介してディスク状記録媒体１００の記録面に照射され、照射されたレーザー光が記録面で反射されて戻り光として対物レンズ２１、透過孔及び立ち上げミラー２７を介して光デバイス２８の受光部で受光される。
【００５９】
このときレーザー光のスポットがディスク状記録媒体１００の記録トラック上に集光するように上記したフォーカシング調整及びトラッキング調整が行われる。
【００６０】
光ピックアップ１３の対物レンズ駆動装置１５は、上記したように、可動部１７の駆動中心Ｐが対物レンズ２１の中心Ｑよりもディスク状記録媒体１００の回転中心側に位置されており（図３参照）、光ピックアップ１３がディスク状記録媒体１００の半径方向へ移動されディスク状記録媒体１００の外周側の移動端まで移動されたときに、ディスク状記録媒体１００の外周から外方へ突出されない（図６参照）。
【００６１】
従って、光ピックアップ１３がディスク状記録媒体１００の外周側の移動端まで移動されたときに、ディスク状記録媒体１００より外側の位置に、対物レンズ駆動装置１５の各部を位置させるためのスペースを必要とせず、スペースの有効活用によりディスクドライブ装置１の小型化を図ることができる。
【００６２】
また、発光部及び受光部が１つの筐体内に一体的に設けられた光デバイス２８が、移動ベース１４の左端寄りの位置に設けられたデバイス取付部１４ｂに取り付けられているため、光ピックアップ１３がディスク状記録媒体１００の外周側の移動端まで移動されたときに、光デバイス２８もディスク状記録媒体１００の外周から外方へ突出されない（図６参照）。
【００６３】
従って、光ピックアップ１３がディスク状記録媒体１００の外周側の移動端まで移動されたときに、ディスク状記録媒体１００より外側の位置に、光デバイス２８を位置させるためのスペースを必要とせず、スペースの有効活用によりディスクドライブ装置１の小型化を図ることができる。
【００６４】
尚、対物レンズ駆動装置１５にあっては、可動部１７に、対物レンズ２１が取り付けられた状態における可動部１７の駆動中心Ｐを可動部１７の重心Ｇと略一致させるバランサー２０を設けているため、フォーカシング調整及びトラッキング調整において高い感度を得ることができ、対物レンズ駆動装置１５の安定した動作状態を確保することができる。
【００６５】
次に、対物レンズ駆動装置の変形例について説明する（図７及び図８参照）。尚、以下に示す変形例に係る対物レンズ駆動装置１５Ａは、上記した対物レンズ駆動装置１５と比較して、可動部のレンズ保持部及びバランサーのコイル取付部に対する位置が異なることのみが相違するため、対物レンズ駆動装置１５と比較して異なる部分についてのみ詳細に説明をし、その他の部分については上記と同様の部分に付した符号と同じ符号を付して説明は省略する。
【００６６】
対物レンズ駆動装置１５Ａは固定部１６と該固定部１６に対して動作される可動部１７Ａとを有している（図７参照）。
【００６７】
可動部１７Ａは、例えば、樹脂材料によって一体に形成されたレンズ保持部１８Ａとコイル取付部１９Ａとバランサー２０Ａとを有し、これらの各部に所要の各部材が取り付けられて成る。
【００６８】
可動部１７Ａは、レンズ保持部１８Ａがコイル取付部１９Ａの左前側に位置する角部から左斜め前方へ突出されている。従って、レンズ保持部１８Ａがコイル取付部１９Ａより前方に位置されている。
【００６９】
バランサー２０Ａは、コイル取付部１９の右端部における後端部から右方へ突出されている。
【００７０】
上記のように、レンズ保持部１８Ａがコイル取付部１９Ａの左前側に位置する角部から左斜め前方へ突出され、バランサー２０Ａがコイル取付部１９Ａの右端部における後端部から右方へ突出されることにより、可動部１７Ａは対物レンズ２１が取り付けられた状態において、重心Ｇがコイル取付部１９Ａの挿入孔１９ａの中央に略一致されている。
【００７１】
また、対物レンズ駆動装置１５Ａは、固定部１６及びコイル体２２が対物レンズ２１の前端より後方側に位置されている。
【００７２】
可動部１７Ａは固定部１６に対して磁気回路２５の中心である駆動中心Ｐを中心として動作される。
【００７３】
駆動中心Ｐと対物レンズ２１の中心Ｑとは、ディスク状記録媒体１００の半径方向Ｈにずれて位置されており、駆動中心Ｐが中心Ｑよりもディスク状記録媒体１００の外周側に位置されている。
【００７４】
対物レンズ駆動装置１５Ａは、上記したように、可動部１７Ａの駆動中心Ｐが対物レンズ２１の中心Ｑよりもディスク状記録媒体１００の外周側に位置されており、光ピックアップ１３がディスク状記録媒体１００の半径方向へ移動されディスク状記録媒体１００の内周側の移動端まで移動されたときに、ディスク状記録媒体１００の内周から内方へ突出されない（図８参照）。
【００７５】
従って、光ピックアップ１３がディスク状記録媒体１００の内周側の移動端まで移動されたときに、ディスク状記録媒体１００より内側の位置に対物レンズ駆動装置１５の各部を位置させるためのスペースを必要とせず、スペースの有効活用を図ることができる。
【００７６】
このようにスペースの有効活用を図ることにより、外筐２の内部に配置される各部、例えば、ディスク駆動モーター９の大型化を図ることができ、ディスク駆動モーター９の駆動力の向上を図ることができる。
【００７７】
また、対物レンズ駆動装置１５Ａにあっても、対物レンズ駆動装置１５と同様に、可動部１７Ａに、対物レンズ２１が取り付けられた状態における可動部１７Ａの駆動中心Ｐを可動部１７Ａの重心Ｇと略一致させるバランサー２０Ａを設けているため、フォーカシング調整及びトラッキング調整において高い感度を得ることができ、対物レンズ駆動装置１５Ａの安定した動作状態を確保することができる。
【００７８】
尚、上記には、可動部１７、１７Ａにフォーカシングコイル及びトラッキングコイルを有するコイル体２２が取り付けられ、マグネット２４、２４が移動ベース１４側に配置されたタイプの対物レンズ駆動装置１５、１５Ａを示したが、対物レンズ駆動装置は可動部側にマグネットが設けられ、移動ベース１４側にフォーカシングコイル及びトラッキングコイルが配置されたタイプであってもよい。
【００７９】
また、フォーカシングコイル及びトラッキングコイルは、コイル用基板に設けられるタイプに限られず、金属線が巻回されて形成されたタイプであってもよい。
【００８０】
さらに、上記には、発光部及び受光部が１つの筐体内に一体的に設けられた光デバイス２８が移動ベース１４に取り付けられた例を示したが、発光部及び受光部は、移動ベース１４の各別の位置に取り付けられていてもよい。
【００８１】
但し、発光部及び受光部が移動ベース１４の各別の位置に取り付けられている場合には、移動ベース１４がディスク状記録媒体１００の半径方向へ移動されたときに、発光部及び受光部がディスク状記録媒体１００から外方又は内方へ突出されない位置にあることが望ましい。
【００８２】
加えて、バランサー２０、２０Ａは、レンズ保持部１８、１８Ａ及びコイル取付部１９、１９Ａと一体に形成されていなくてもよく、レンズ保持部１８、１８Ａ及びコイル取付部１９、１９Ａとは別体で形成されていてもよい。
【００８３】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８４】
【発明の効果】
以上に記載したところから明らかなように、本発明光ピックアップは、ディスクテーブルに装着されるディスク状記録媒体の半径方向へ移動される移動ベースと、該移動ベースに配置された対物レンズ駆動装置と、移動ベースに設けられディスク状記録媒体の記録面へ向けてレーザー光を発光する発光部と、移動ベースに設けられディスク状記録媒体の記録面で反射されたレーザー光を戻り光として受光する受光部とを備えた光ピックアップであって、上記対物レンズ駆動装置は、対物レンズを保持した可動部と、該可動部をディスク状記録媒体の記録面に離接する方向であるフォーカシング方向及びディスク状記録媒体の略半径方向であるトラッキング方向へ移動自在に支持する固定部と、上記可動部又は固定部の一方に設けられたマグネットと上記可動部又は固定部の他方に設けられた駆動用コイルとを有する磁気回路とを備え、上記磁気回路の中心である可動部の駆動中心が、対物レンズの中心に対してディスク状記録媒体の半径方向へ偏倚されたことを特徴とする。
【００８５】
従って、光ピックアップがディスク状記録媒体の外周側又は内周側の移動端まで移動されたときに、ディスク状記録媒体より外側又は内側の位置に対物レンズ駆動装置の各部を位置させるためのスペースを必要とせず、スペースの有効活用を図ることができる。
【００８６】
請求項２に記載した発明にあっては、上記可動部の駆動中心を、対物レンズの中心に対してディスク状記録媒体の回転中心側に偏倚させたので、光ピックアップがディスク状記録媒体の外周側の移動端まで移動されたときに、ディスク状記録媒体より外側の位置に対物レンズ駆動装置の各部を位置させるためのスペースを必要とせず、光ピックアップが設けられる装置の小型化を図ることができる。
【００８７】
請求項３に記載した発明にあっては、上記可動部の駆動中心を、対物レンズの中心に対してディスク状記録媒体の外周側に偏倚させたので、光ピックアップがディスク状記録媒体の内周側の移動端まで移動されたときに、ディスク状記録媒体より内側の位置に対物レンズ駆動装置の各部を位置させるためのスペースを必要とせず、ディスク駆動モーターの大型化を図ることができ、ディスク駆動モーターの駆動力の向上を図ることができる。
【００８８】
請求項４に記載した発明にあっては、上記可動部の駆動中心を、対物レンズを保持した可動部の重心と略一致させるバランサーを可動部に設けたので、対物レンズ駆動装置によってフォーカシング調整及びトラッキング調整が行われるときに高い感度を得ることができ、対物レンズ駆動装置の安定した動作状態を確保することができる。
【００８９】
請求項５に記載した発明にあっては、上記移動ベースのディスク状記録媒体の半径方向の移動範囲において、上記発光部及び受光部をディスク状記録媒体に対向する位置に配置したので、光ピックアップがディスク状記録媒体の外周側又は内周側の移動端まで移動されたときに、ディスク状記録媒体より外側又は内側の位置に発光部及び受光部を位置させるためのスペースを必要とせず、スペースの有効活用により光ピックアップが設けられる装置の小型化を図ることができる。
【００９０】
本発明ディスクドライブ装置は、ディスクテーブルに装着されるディスク状記録媒体の半径方向へ移動される移動ベースと、該移動ベースに配置された対物レンズ駆動装置と、移動ベースに設けられディスク状記録媒体の記録面へ向けてレーザー光を発光する発光部と、移動ベースに設けられディスク状記録媒体の記録面で反射されたレーザー光を戻り光として受光する受光部とを有する光ピックアップを備えたディスクドライブ装置であって、上記対物レンズ駆動装置は、対物レンズを保持した可動部と、該可動部をディスク状記録媒体の記録面に離接する方向であるフォーカシング方向及びディスク状記録媒体の略半径方向であるトラッキング方向へ移動自在に支持する固定部と、上記可動部又は固定部の一方に設けられたマグネットと上記可動部又は固定部の他方に設けられた駆動用コイルとを有する磁気回路とを備え、上記磁気回路の中心である可動部の駆動中心が、対物レンズの中心に対してディスク状記録媒体の半径方向へ偏倚されたことを特徴とする。
【００９１】
従って、光ピックアップがディスク状記録媒体の外周側又は内周側の移動端まで移動されたときに、ディスク状記録媒体より外側又は内側の位置に対物レンズ駆動装置の各部を位置させるためのスペースを必要とせず、スペースの有効活用を図ることができる。
【００９２】
請求項７に記載した発明にあっては、上記可動部の駆動中心を、対物レンズの中心に対してディスク状記録媒体の回転中心側に偏倚させたので、光ピックアップがディスク状記録媒体の外周側の移動端まで移動されたときに、ディスク状記録媒体より外側の位置に対物レンズ駆動装置の各部を位置させるためのスペースを必要とせず、ディスクドライブ装置の小型化を図ることができる。
【００９３】
請求項８に記載した発明にあっては、上記可動部の駆動中心を、対物レンズの中心に対してディスク状記録媒体の外周側に偏倚させたので、光ピックアップがディスク状記録媒体の内周側の移動端まで移動されたときに、ディスク状記録媒体より内側の位置に対物レンズ駆動装置の各部を位置させるためのスペースを必要とせず、ディスク駆動モーターの大型化を図ることができ、ディスク駆動モーターの駆動力の向上を図ることができる。
【００９４】
請求項９に記載した発明にあっては、上記可動部の駆動中心を、対物レンズを保持した可動部の重心と略一致させるバランサーを可動部に設けたので、対物レンズ駆動装置によってフォーカシング調整及びトラッキング調整が行われるときに高い感度を得ることができ、対物レンズ駆動装置の安定した動作状態を確保することができる。
【００９５】
請求項１０に記載した発明にあっては、上記移動ベースのディスク状記録媒体の半径方向の移動範囲において、上記発光部及び受光部をディスク状記録媒体に対向する位置に配置したので、光ピックアップがディスク状記録媒体の外周側又は内周側の移動端まで移動されたときに、ディスク状記録媒体より外側又は内側の位置に発光部及び受光部を位置させるためのスペースを必要とせず、スペースの有効活用によりディスクドライブ装置の小型化を図ることができる。
【図面の簡単な説明】
【図１】図２乃至図８と共に本発明の実施の形態を示すものであり、本図はディスクドライブ装置の概略斜視図である。
【図２】光ピックアップの拡大斜視図である。
【図３】光ピックアップの拡大平面図である。
【図４】図３のＩＶ―ＩＶ線に沿う拡大断面図である。
【図５】レーザー光の光路を示す概念図である。
【図６】光ピックアップがディスク状記録媒体の外周側の移動端に移動された状態を示す拡大平面図である。
【図７】図８と共に対物レンズ駆動装置の変形例を示すものであり、本図は光ピックアップの拡大平面図である。
【図８】光ピックアップがディスク状記録媒体の内周側の移動端に移動された状態を示す拡大平面図である。
【図９】従来の光ピックアップに設けられた対物レンズ駆動装置を示す拡大平面図である。
【図１０】従来の問題点を示す拡大平面図である。
【符号の説明】
１…ディスクドライブ装置、１０…ディスクテーブル、１３…光ピックアップ、１４…移動ベース、１５…対物レンズ駆動装置、１６…固定部、１７…可動部、２０…バランサー、２１…対物レンズ、２４…マグネット、２５…磁気回路、１００…ディスク状記録媒体
【図１】
2004022142.tif 000003
【図２】
2004022142.tif 000004
【図３】
2004022142.tif 000005
【図４】
2004022142.tif 000006
【図５】
2004022142.tif 000007
【図６】
2004022142.tif 000008
【図７】
2004022142.tif 000009
【図８】
2004022142.tif 000010
【図９】
2004022142.tif 000011
【図１０】
2004022142.tif 000012